(57)【特許請求の範囲】
【請求項１】
鋼板製電柱の一部分に縦長に開口した作業孔を内側から閉塞する内側カバー体と、前記作業孔の外側からあてると共に前記作業孔と対応する縦長の開口孔が設けられた外側カバー体と、その外側カバー体、電柱の作業孔開口周縁、内側カバー体の三者を一体に結合する取付けねじとを有し、
前記内側カバー体には、前記外側カバー体の開口孔と対向し合う上端部位にねじ式のキャップによって外側から閉塞されるカバー用作業孔が設けられていることを特徴とする鋼板製電柱用作業孔の閉塞カバー。
【発明の詳細な説明】
【技術分野】
【０００１】
本発明は電線用、あるいは、照明灯用等の鋼板製電柱にあけられた電柱用作業孔を塞ぐための閉塞カバーに関する。
【背景技術】
【０００２】
近年、鋼板で作られた電柱の内部空間にモルタル等の補強材を充填して電柱を補強する補強工事が広く実施されるようになっている。
【０００３】
電柱の補強工事にあたって、図１０に示す如く電柱１０１には縦長の作業孔１０３があけられる。作業孔１０３は、補強工事の時に、例えば、外から手を挿入し電柱１０１の内部に入れるアラミド繊維で作られたロッド状の補強部材を所定の間隔で補強部材配置金具（図示していない）に挿通させる時に使用される。
【０００４】
この作業孔１０３は補強工事完了後は孔閉塞用治具によって塞がれるようになっている。
【特許文献１】特願２００５−３１３１０９号公報
【発明の開示】
【発明が解決しようとする課題】
【０００５】
電柱の一部分にあけられる作業孔は、孔閉塞用治具によって内側と外側から挟みつけたサンドイッチ構造として塞ぐようになるが、この時、例えば、作業孔から閉塞用の板を電柱内部へ挿入した時に、その内部へ挿入した内側の板を外側の閉塞用の板と結合する間、いかに安定して仮支持しておくかが求められている。
【０００６】
そこで、本発明にあっては、作業孔から電柱内部へ挿入された内側カバー体が外側カバー体と結合するまでの間、簡単な手段で安定した仮支持が得られるようにすると共に、作業性に優れた電柱用作業孔の閉塞カバーを提供することを目的としている。
【課題を解決するための手段】
【０００７】
前記目的を達成するために、本発明にあっては、鋼板製電柱の一部分に縦長に開口した作業孔を内側から閉塞する内側カバー体と、前記作業孔の外側からあてると共に前記作業孔と対応する縦長の開口孔が設けられた外側カバー体と、その外側カバー体、電柱の作業孔開口周縁、内側カバー体の三者を一体に結合する取付けねじとを有し、
前記内側カバー体には、前記外側カバー体の開口孔と対向し合う上端部位にねじ式のキャップによって外側から閉塞されるカバー用作業孔が設けられていることを特徴とする。
【発明の効果】
【０００８】
本発明によれば、始めに作業孔の外側から外側カバー体をあてて、その外側カバー体のねじ孔を介して印をつければ、作業孔の開口周縁部位に、外側、内側カバー体のねじ孔と同一の正確なねじ孔を開けることができる。
【０００９】
また、内側カバー体のカバー用作業孔に、例えば、棒状の支持具を挿入する一方、その下位に電柱にあけられた作業孔に対して挿入可能な支持用取手をテープ等の接着手段によって取外し自在に接着しておき、前記支持具を持った状態で内側カバー体を縦向きとして作業孔から電柱内部へ挿入することで、支持具によって安定した内側カバー体の仮支持状態を得ることができる。
【００１０】
また、空いているもう片方の手に外側カバー体の開口孔を通して例えば、手首の部分で吊下げ支持した状態で支持用取手をつかむことで、片手で外側カバー体、内側カバー体の両方を支持することができる。
【００１１】
この時、空いた片方の手で外側カバー体を作業孔の外側へ正しくあてた後、取付けねじをねじ孔に螺合させることで、外側カバー体、作業孔開口周縁部、内側カバー体の三者を確実に仮支持できる。
【００１２】
また、仮支持状態にある支持用取手を片手で持って手前へ引張りながら、もう片方の手に持った工具により取付けねじを最終まで一杯に締め付けることで、作業孔を挟んで閉塞カバーを１人で確実に取付けることができる。
【００１３】
また、閉塞カバー取付け完了後は支持具及び支持用取手を取外せば、支持具を取外したカバー用作業孔を、仮支持用として使用するだけでなく例えば、モルタル等の充填材を注入する充填材注入用作業孔として利用できる。
【００１４】
また、使用した後のカバー用作業孔はキャップによって塞ぐことができると共に、キャップはねじ式のため充填材による充填圧が作用しても抜け落ちることはなく、確実な取付け状態が得られる。
【発明を実施するための最良の形態】
【００１５】
以下、図１乃至図９の図面を参照しながら具体的に説明する。
【００１６】
図１は本発明にかかる閉塞カバーの分解斜視図を示している。閉塞カバー１は、鋼板製の電柱３に開口した縦長の電柱補修用の作業孔５を内側と外側から挟みつけて閉塞するもので合成樹脂の材質により外側カバー体７と内側カバー体９からなる組合せ構造に作られている。
【００１７】
外側カバー体７と内側カバー体９は図２において縦（図面上下方向）と横（図面左右方向）の寸法は同一に作られると共に、外側カバー体７は作業孔５の外側から、内側カバー体９は作業孔５の内側からそれぞれ接触し合うところから電柱３の外周面と同じ円弧面に形成されている。
【００１８】
外側カバー体７には、縦長の開口孔１３とねじ孔１５がそれぞれ設けられている。
【００１９】
縦長の開口孔１３は外側カバー体７のほぼ中央部位に設けられており、幅ａ及び長さｂは前記作業孔５の幅ａ−１及び長さｂ−１より若干大きく作られている。
【００２０】
ねじ孔１５は外側カバー体７の外周縁に沿って複数設けられ、取付けねじ１７が通る貫通孔となっている。
【００２１】
内側カバー体９は、縦長の凸条部１９と凸条部１９の上端部位に設けられたカバー用作業孔２１とねじ孔２３がそれぞれ設けられている。
【００２２】
ねじ孔２３は前記外側カバー体７のねじ孔１５と対応する位置で内側カバー体９の外周縁に沿って複数設けられると共に内側は前記取付けねじ１７が螺合し合うねじ部２３ａを具備する形状となっている。
【００２３】
凸条部１９は、前記作業孔５内に嵌め込む幅と長さに設定され、内側カバー体７の開口孔１３へ向かって張り出した形状となっている。
【００２４】
カバー用作業孔２１は、前記凸条部１９の上端部位に貫通した丸孔状に形成され、その外周には図４に示す如くリング状の嵌合溝２３を有し、嵌合溝２３にはカバー用作業孔２１を塞ぐキャップ２５が螺合している。
【００２５】
具体的には嵌合溝２３の内側壁面に雄ねじ２３ａが設けられる一方、その雄ねじ２３ａと螺合可能な雌ネジ２５ａがキャップ２５の内側に設けられた形状となって、例えば、右回転させることでキャップ２５の取付が、左回転させることでキャップ２５の取外しが行なえるようになっている。
【００２６】
キャップ２５は上面中央部位に６角レンチが入る工具孔２７が設けられると共に、キャップ２５の取付け完了時、キャップ２５の上面が内側カバー体９の凸条部１９の上面から突出しない面一形状となるよう設定されている。
【００２７】
このように構成された閉塞カバー１を電柱３に設けられた作業孔５を塞ぐ手順について説明する。
【００２８】
まず、図５に示す如く予め内側カバー体９のカバー用作業孔２１に仮支持用の円筒形に作られた支持具２９を挿入する。支持具２９には切欠凹部３１が形成され、この切欠凹部３１は、電柱３の作業孔５に対して内側カバー体９を図３に示す如く縦向きとして内部へ挿入する時に作業孔５の端縁に切欠凹部３１の底に当るまで一杯に挿入することで内側カバー体９の残り部分が内部への挿入を許すための切欠きとなっている。
【００２９】
同時に、内側カバー体９の凸条部１９に支持用取手３３をテープ等の接着手段３５によって取外し自在に接着しておく。この時支持用取手３３は図３に示す如く縦向きとして挿入する時に作業孔５の幅ａ−１内に収まる寸法に設定されていて縦向きの内側カバー体９が作業孔５に対して支障なく挿入できるようになっている。
【００３０】
次に、準備のできた前記内側カバー体９を縦向きとして図３に示すように支持具２９を持った状態で作業孔５から内部へ挿入した後、向きを元へ戻し凸条部１９が作業孔５に対して内側から嵌り合うよう手前へ引張りながら内側カバー体９を仮支持する。
【００３１】
次に、空いているもう一方の片方の手に開口孔１３を介して外側カバー体７を例えば、図６に示す如く手首の部分で吊下げ支持し、持ち変えるなどにより吊下げた手で支持用取手３３を持って内側カバー体９を継続して仮支持した後、空いた片方の手で手首にある外側カバー体７を作業孔５の外側にあてて接触させる。
【００３２】
続いて取付けねじ１７を外側カバー体７のねじ孔１５から挿入していき、仮螺合させた後、支持用取手３３を手前に強く引きながら図７に示す如く工具３５によって取付けねじ１７を最終まで一杯に締付けることで内側カバー体９、作業孔開口周縁部５ａ、外側カバー体７の三者を一体に重ね合せ結合することができる。
【００３３】
次に、支持具２９及び支持用取手３３を取外した後、カバー用作業孔２１からモルタル等の充填材を充填パイプ（図示していない）を介してその作業孔５が十分に隠れる位まで充填する。最後に止水モルタルを充填した後、充填パイプを取外しその後にキャップ２５を螺合させて作業完了となる。
【００３４】
これら一連の作業が１人でできると共にカバー用作業孔２１は仮支持用として、充填材注入用として利用できる。
【００３５】
また、充填圧がキャップ２５に作用してもねじ式のため簡単に外れることはなく長期間にわたり安定した閉塞状態が得られるようになる。
【００３６】
この場合、キャップ２５の工具孔２７及び取付けねじ１７の頭に充填材をつめておくことで取外し等のいたずらを確実に妨げるようになる。
【図面の簡単な説明】
【００３７】
【図１】本発明にかかる閉塞カバーの分解斜視図。
【図２】閉塞カバーの正面図。
【図３】内側カバー体を縦向きとした時の作業孔との関係を示した説明図。
【図４】カバー用作業孔にキャップを取付けた状態の拡大断面説明図。
【図５】内側カバー体に支持具及び支持用取手を予め取付けた状態を示す説明図。
【図６】閉塞カバーの取付け状態を示した一工程の概要説明図。
【図７】工具により取付けねじを締付けている説明図。
【図８】外側カバー体の取付け完了後に支持具及び支持用取手を取外した状態を示す概要説明図。
【図９】閉塞カバーの取付け完了時を示した説明図。
【図１０】電柱に作業孔が設けられた説明図。
【符号の説明】
【００３８】
１    閉塞カバー
３    電柱
５    作業孔
５ａ    作業孔開口周縁
７    外側カバー体
９    内側カバー体
１３    開口孔
１５    ねじ孔
１７    取付けねじ
２１    カバー用作業孔
２５    キャップ
【図１】
0004413890.tif 000002
【図２】
0004413890.tif 000003
【図３】
0004413890.tif 000004
【図４】
0004413890.tif 000005
【図５】
0004413890.tif 000006
【図６】
0004413890.tif 000007
【図７】
0004413890.tif 000008
【図８】
0004413890.tif 000009
【図９】
0004413890.tif 000010
【図１０】
0004413890.tif 000011